(57)【要約】  本発明は、ガンマ抵抗調整装置、駆動回路及び表示装置を提供する。このガンマ抵抗調整装置は、ソース駆動集積回路に用いられ、複数の直列の、制御信号によって抵抗値を調整可能なガンマ抵抗を有する内蔵抵抗列と、各ガンマ抵抗の抵抗調整情報を含む内部抵抗変更データを受信するとともに、内部抵抗変更データによって各ガンマ抵抗に対する制御信号を生成する制御信号生成ユニットと、生成された制御信号により、各ガンマ抵抗の抵抗値を調整する調整ユニットと、を備える。本発明は、表示装置のガンマ曲線を便利で快速に調整することができ、実現コストが低い。
2016524176.tif 000002
【特許請求の範囲】
【請求項１】
ガンマ抵抗調整装置であって、
複数の直列の、制御信号によって抵抗値を調整可能なガンマ抵抗を有する内蔵抵抗列と、
各前記ガンマ抵抗の抵抗調整情報を含む内部抵抗変更データを受信するとともに、前記内部抵抗変更データにより各前記ガンマ抵抗に対する制御信号を生成する制御信号生成ユニットと、
生成された前記制御信号により、各前記ガンマ抵抗の抵抗値を調整する調整ユニットと、を備えることを特徴とするガンマ抵抗調整装置。
【請求項２】
前記ガンマ抵抗は、基準抵抗、複数の調整抵抗及び前記複数の調整抵抗に対応する複数の制御スイッチをさらに有し、前記基準抵抗が前記複数の調整抵抗に直列に接続され、各前記制御スイッチが対応する前記調整抵抗に並列に接続され、
前記調整ユニットは、生成された前記制御信号により、前記制御スイッチのカットオフ及びオンをさらに制御することを特徴とする請求項１に記載のガンマ抵抗調整装置。
【請求項３】
直列のガンマ抵抗の数が２ｎ＋１であり、ここで、ｎは表示パネルのグレースケールの数であることを特徴とする請求項１に記載のガンマ抵抗調整装置。
【請求項４】
前記内部抵抗変更データは、前記表示パネルの電圧、透過率曲線及びガンマ曲線特性によって模擬して得られるものであることを特徴とする請求項３に記載のガンマ抵抗調整装置。
【請求項５】
請求項１ないし４のいずれか１項に記載のガンマ抵抗調整装置を備えることを特徴とするソース駆動集積回路。
【請求項６】
請求項５に記載のソース駆動集積回路を備えることを特徴とする表示装置。
【請求項７】
前記ソース駆動集積回路に接続され、前記内部抵抗変更データを記憶するとともに、前記表示装置が動作するとき、前記内部抵抗変更データを前記ソース駆動集積回路に入力する記憶ユニットをさらに備えることを特徴とする請求項６に記載の表示装置。
【請求項８】
前記記憶ユニットは、内部統合回路インターフェイスを介して前記ソース駆動集積回路に接続されることを特徴とする請求項７に記載の表示装置。
【請求項９】
前記内部抵抗変更データを記憶する記憶ユニットと、
前記記憶ユニット及び前記ソース駆動集積回路に接続され、前記表示装置が動作するとき、前記記憶ユニットが入力した前記内部抵抗変更データを前記ソース駆動集積回路に出力するタイミング制御装置と、をさらに備えることを特徴とする請求項６に記載の表示装置。
【請求項１０】
前記タイミング制御装置は、内部統合回路インターフェイスを介して前記ソース駆動集積回路に接続されることを特徴とする請求項９に記載の表示装置。
【発明の詳細な説明】
【技術分野】
【０００１】
本発明は表示技術分野に関し、特に、ガンマ抵抗調整装置、駆動回路及び表示装置に関する。
【背景技術】
【０００２】
現在では、多くの小さいサイズの表示装置は、プリント回路基板（Ｐｒｉｎｔｅｄ Ｃｉｒｃｕｉｔ Ｂｏａｒｄ）又はフレキシブル回路基板における回路設計を簡単化するとともに、コストを節約するために、ソース駆動集積回路（Ｓｏｕｒｃｅ ＩＣ）にガンマ（Ｇａｍｍａ）抵抗を内蔵する設計を直接に用いている。然し、内蔵されるガンマ抵抗が表示パネル（Ｐａｎｅｌ）にマッチングしないと、表示パネルのグレースケール表示がスムースにならず、ガンマ曲線が平滑しないようになり、表示パネルの画質が不良になる。
【発明の概要】
【発明が解決しようとする課題】
【０００３】
従来技術では、外部ガンマ抵抗の設計により、表示装置のガンマ曲線を調整する。図１は従来技術に係る外部ガンマ抵抗の構造概略図である。図１では、ＡＶＤＤはガンマ抵抗に給電する模擬電圧である。該構造は、１５個のガンマ抵抗（Ｒ１〜Ｒ１５）を有し、ガンマ抵抗の抵抗値を調整することで、Ｖ１〜Ｖ１４のガンマ電圧値が調整され、それによって０、１、１６、３２、４８、６２、６３との７個のノードの正負のグレースケールの電圧値（図１におけるＧ０、Ｇ１、Ｇ１６・・・にそれぞれ対応する）が調整され、ガンマ曲線が調整される。しかしながら、上述した方法によれば、数の少ないノードのみのグレースケール電圧は調整されることができるが、他の大部分のグレースケール電圧は内蔵されるガンマ抵抗に制御されるので調整することができないため、画質問題は明らかに改善されない。
【０００４】
従来技術では、内蔵されるガンマ抵抗を変えることで、表示装置のガンマ曲線を調整することもできる。然し、異なる表示パネルに対して異なる内蔵ガンマ抵抗を用いる必要があるため、ソース駆動集積回路のバージョン多く過ぎて、管理が難しい。
【課題を解決するための手段】
【０００５】
これに鑑み、本発明は、表示装置のガンマ曲線を便利で快速に調整することができるとともに、実現のコストが低いガンマ抵抗調整装置、駆動回路及び表示装置を提供する。
【０００６】
上述した技術的課題を解決するように、本発明の一態様は、
複数の直列の、制御信号によって抵抗値を調整可能なガンマ抵抗を有する内蔵抵抗列と、
各前記ガンマ抵抗の抵抗調整情報を含む内部抵抗変更データを受信するとともに、前記内部抵抗変更データによって各前記ガンマ抵抗に対する制御信号を生成する制御信号生成ユニットと、
生成した前記制御信号によって、各前記ガンマ抵抗の抵抗値を調整する調整ユニットと、を備えるガンマ抵抗調整装置を提供する。
【０００７】
前記ガンマ抵抗は、１つの基準抵抗、複数の調整抵抗及び前記複数の調整抵抗に対応する複数の制御スイッチをさらに有してもよく、前記基準抵抗は前記複数の調整抵抗に直列に接続され、各前記制御スイッチは対応する前記調整抵抗に並列に接続され、前記調整ユニットは、生成された前記制御信号により、前記制御スイッチのカットオフ又はオンを制御する。
【０００８】
直列のガンマ抵抗の数は２ｎ＋１であってもよく、ここで、ｎは表示パネルのグレースケールの数である。
【０００９】
前記内部抵抗変更データは、前記表示パネルの電圧、透過率曲線及びガンマ曲線特性から模擬して得られるものであってもよい。
【００１０】
本発明の別の態様は、上述したガンマ抵抗調整装置を備えるソース駆動集積回路をさらに提供する。
【００１１】
本発明の別の態様は、上述したソース駆動集積回路をさらに備える表示装置を提供する。
【００１２】
前記表示装置は、
前記ソース駆動集積回路に接続され、前記内部抵抗変更データを記憶するとともに、前記表示装置が動作するとき、前記内部抵抗変更データを前記ソース駆動集積回路に入力する記憶ユニットをさらに備えてもよい。
【００１３】
前記記憶ユニットは、内部統合回路インターフェイスを介して前記ソース駆動集積回路に接続されてもよい。
【００１４】
前記表示装置は、
前記内部抵抗変更データを記憶する記憶ユニットと、
前記記憶ユニット及び前記ソース駆動集積回路に接続され、前記表示装置が動作するとき、前記記憶ユニットが入力する前記内部抵抗変更データを前記ソース駆動集積回路に出力するタイミング制御装置と、をさらに備えてもよい。
【００１５】
前記タイミング制御装置は、内部統合回路インターフェイスを介して前記ソース駆動集積回路に接続されてもよい。
【発明の効果】
【００１６】
本発明の実施形態は、以下のような有益な技術的効果を得られる。
ソース駆動集積回路の内部抵抗の抵抗値を調整可能に設置する構造により、ソース駆動集積回路の内部抵抗が表示パネルにさらにマッチングになり、ガンマ曲線がさらに平滑になり、画質効果がさらに良好になるとともに、同じソース駆動集積回路が異なる表示パネルに適用することができるため、ソース駆動集積回路において内部抵抗を変更するコストが低下された。
【図面の簡単な説明】
【００１７】
【図１】従来技術に係る外部ガンマ抵抗の構造概略図である。
【図２】本発明の第１実施形態に係るガンマ抵抗調整装置の構造概略図である。
【図３】本発明の第２実施形態に係る内蔵抵抗列の構造概略図である。
【図４】本発明の第２実施形態に係るガンマ抵抗の構造概略図である。
【図５】本発明の第３実施形態に係るソース駆動集積回路の構造概略図である。
【図６】本発明の第４実施形態に係る表示装置の構造概略図である。
【図７】本発明の第５実施形態に係る表示装置の構造概略図である。
【発明を実施するための形態】
【００１８】
ソース駆動集積回路の内部抵抗が表示パネルにマッチングしないことにより、表示パネルの表示画質が不良な問題を解決するように、本発明の実施形態は、ソース駆動集積回路の内部抵抗の抵抗値を調整可能に設置する構造により、ソース駆動集積回路の内部抵抗が表示パネルにさらにマッチングになり、ガンマ曲線がさらに平滑になり、画質効果がさらによくなるとともに、同じソース駆動集積回路が異なる表示パネルに適用することができ、ソース駆動集積回路において内部抵抗を変更するコストが低下される。
【００１９】
以下、図面及び実施形態を組み合わせて、本発明の具体的な実施形態をさらに詳しく説明する。
【００２０】
第１実施形態
図２は本発明の第１実施形態に係るガンマ抵抗調整装置の構造概略図である。図２に示すように、該ガンマ抵抗調整装置は、ソース駆動集積回路に用いられ、かつ内蔵抵抗列、制御信号生成ユニット及び調整ユニットを備える。
【００２１】
内蔵抵抗列は、複数の直列の、制御信号に抵抗値が調整されることができるガンマ抵抗Ｒｓを備える。前記直列のガンマ抵抗Ｒｓの数は、前記ソース駆動集積回路に対応する表示パネルのレベルに関わる。例えば、前記ソース駆動集積回路に対応する表示パネルのグレースケールの数がｎであると、直列のガンマ抵抗Ｒｓの数が２ｎ＋１である。例を挙げて見れば、前記ソース駆動集積回路に対応する表示パネルのグレースケールが６４である場合、前記直列のガンマ抵抗Ｒｓの数量が１２９であり、前記表示パネルのグレースケールが２５６である場合、前記直列のガンマ抵抗Ｒｓの数が５１３である。
【００２２】
制御信号生成ユニットは、各前記ガンマ抵抗Ｒｓの抵抗調整情報を含む内部抵抗変更データを受信するとともに、前記内部抵抗変更データにより、各前記ガンマ抵抗Ｒｓに対する制御信号を生成するものである。前記内部抵抗変更データに含まれる各前記ガンマ抵抗Ｒｓの抵抗調整情報は、各前記ガンマ抵抗Ｒｓの抵抗値であってもよいし、各前記ガンマ抵抗の抵抗値によって生成された他の制御情報であってもよい。各前記ガンマ抵抗Ｒｓの抵抗値は、前記表示パネルのＶ−Ｔ（電圧及び透過率）曲線及びガンマ曲線によって模擬して得られるものである。
【００２３】
調整ユニットは、生成された前記制御信号により、各前記ガンマ抵抗Ｒｓの抵抗値を調整するものである。
【００２４】
内蔵抵抗列における各ガンマ抵抗Ｒｓの抵抗値は、入力された内部抵抗変更データによって調整されることができるため、入力された内部抵抗変更データを変更することによって、ソース駆動集積回路の内部抵抗の抵抗値を表示パネルにマッチングするように便利に調整することができる。これにより、１つのソース駆動集積回路の内部抵抗がいずれの表示パネルにも適用でき、ソース駆動集積回路の内部抵抗を変更するコストが低下され、良好の画質効果が実現された。
【００２５】
第２実施形態
図３は本発明の第２実施形態に係る内蔵抵抗列の構造概略図である。図３に示すように、内蔵抵抗列は、２ｎ＋１個の直列のガンマ抵抗Ｒｓ、及び２ｎ個の分圧ノードＧ１〜Ｇ２ｎを有し、ここで、ｎが表示パネルのグレースケールの数である。図において、ＡＶＤＤは、ガンマ抵抗Ｒｓに給電するアナログ電圧である。
【００２６】
図４は本発明の第２実施形態に係るガンマ抵抗の構造概略図である。図４に示すように、各ガンマ抵抗Ｒｓのいずれも、
１つの基準抵抗Ｒ０、ｍ個の調整抵抗Ｒ１〜Ｒｍ及びｍ個の調整抵抗Ｒ１〜Ｒｍに１つずつ対応するｍ個の制御スイッチＳ１〜Ｓｍを備え、前記基準抵抗Ｒ０が前記ｍ個の調整抵抗Ｒ１〜Ｒｍに直列され、各前記制御スイッチが対応する前記調整抵抗に並列され、ここで、ｍの値が具体的な要求により設けられてもよい。調整抵抗Ｒ１〜Ｒｍの抵抗値は、等しいであってもよいし、等しくなくてもよい。
【００２７】
前記調整ユニットは、各前記ガンマ抵抗Ｒｓの抵抗値を調整するように、生成された制御信号により、ｍ個の制御スイッチＳ１〜Ｓｍをカットオフ又はオンされるように制御する。
【００２８】
例えば、仮に基準抵抗Ｒ０の抵抗値が１００オーム（ｏｈｍ）であると、各調整抵抗Ｒ１〜Ｒｍの抵抗値はいずれも１０オームであり、仮にガンマ抵抗調整装置に入力される内部抵抗変更データが、分圧ノードＧ２とＧ３との間のガンマ抵抗Ｒｓの抵抗値を１１０オームに調整する必要があることを示し、この時ガンマ抵抗調整装置は、内部抵抗変更データにより対応する制御信号を生成し、Ｇ２とＧ３との間のガンマ抵抗Ｒｓにおける制御スイッチＳ２がオンされ、制御スイッチＳ１がカットオフされるように制御し、分圧ノードＧ２とＧ３との間のガンマ抵抗Ｒｓの抵抗値を１１０オームに調整する。
【００２９】
上述した実施形態に係る内蔵抵抗列は、簡単に実現することができ、コストが低い。
【００３０】
ここで、上述した実施形態に係る内蔵抵抗列の構造は、本発明に係る内蔵抵抗列の構造の１つだけであり。本発明の別の実施形態では、内蔵抵抗列は、制御信号によって抵抗値を調整されることができれば、他の構造であってもよい。
【００３１】
第３実施形態
図５は本発明の第３実施形態に係るソース駆動集積回路の構造概略図である。図５に示すように、該ソース駆動集積回路は、直並列変換器（Ｓｅｒｉａｌ ｔｏ Ｐａｒａｌｌｅｌ Ｃｏｎｖｅｒｔｅｒ）、シフトレジスタ（Ｓｈｉｆｔ Ｒｅｇｉｓｔｅｒ）、ラッチ（Ｌａｔｃｈ）、デジタル-アナログ変換器（Ｄ／Ａ Ｃｏｎｖｅｒｔｅｒ）及び出力バッファー（Ｏｕｔｐｕｔ Ｂｕｆｆｅｒ）を備える。前記ソース駆動集積回路は以下のように動作する。直並列変換器は、入力されたデジタルビデオ信号を受信した後、該デジタルビデオ信号を直並列変換し、変換されたデジタルビデオ信号を得て、そして、変換されたデジタルビデオ信号をシフトレジスタに出力し、シフトレジスタは、前記変換された前記デジタルビデオ信号をシフトし、シフトされたデジタルビデオ信号を得て、前記シフトされたデジタルビデオ信号をラッチに出力し、ラッチは、前記シフトされたデジタルビデオ信号をラッチし、ラッチされたデジタルビデオ信号を得て、前記ラッチされたデジタルビデオ信号をデジタル-アナログ変換器に出力し、デジタル-アナログ変換器は、前記ラッチされたデジタルビデオ信号をアナログ信号（即ち、グレースケール電圧）に変換し、前記グレースケール電圧を出力バッファーを介して表示パネルのデータラインＳ１〜Ｓｉに出力する。
【００３２】
前記ソース駆動集積回路は、ガンマ抵抗調整装置をさらに備える。該ガンマ抵抗調整装置は、上述したいずれの実施形態におけるガンマ抵抗調整装置であってもよい。該ガンマ抵抗調整装置における内蔵抵抗列は、デジタル-アナログ変換器に位置してもよく、入力されたデジタルビデオ信号により、ガンマ基準電圧Ｖ１〜Ｖ１４を分圧し、前記グレースケール電圧を得る。
【００３３】
第４実施形態
図６は本発明の第４実施形態に係る表示装置の構造概略図である。図６に示すように、前記表示装置は、ソース駆動集積回路、記憶ユニット及びタイミング制御装置を備える。
【００３４】
前記ソース駆動集積回路の構造は、上述した実施形態におけるソース駆動集積回路の構造と同じである。
【００３５】
前記記憶ユニットは内部抵抗変更データを記憶するものである。前記記憶ユニットはＥＥＰＲＯＭであってもよい。前記内部抵抗変更データは、前記表示装置の表示パネルのＶ−Ｔ曲線及びガンマ曲線から模擬して得られるものである。
【００３６】
前記タイミング制御装置は、前記記憶ユニット及び前記ソース駆動集積回路に接続され、前記表示装置が動作するとき、前記記憶ユニットが入力する前記内部抵抗変更データを前記ソース駆動集積回路に出力するものである。前記タイミング制御装置は、ソース駆動集積回路の内部統合回路インターフェイス（Ｉ２Ｃ）を介して前記ソース駆動集積回路に接続される。当然ながら、本発明の別の実施形態では、前記タイミング制御装置は、他のデータインターフェイス、例えば、シリアル周辺機器インターフェイス（Ｓｅｒｉａｌ Ｐｅｒｉｐｈｅｒａｌ Ｉｎｔｅｒｆａｃｅ）等を介して前記ソース駆動集積回路に接続されてもよい。
【００３７】
本発明の実施形態は、表示パネルのＶ−Ｔ曲線及びガンマ曲線の特性により、内蔵抵抗列における各ガンマ抵抗の抵抗値を模擬することができ、それによって、各ガンマ抵抗の補償値（即ち、各ガンマ抵抗の調整する必要がある抵抗値）を得ることができる。仮に各ガンマ抵抗における調整抵抗の抵抗値が同じであって最小の調整単位であると、各ガンマ抵抗の補償値で最小調整単位値を除し、各ガンマ抵抗の内部抵抗の補正係数を得て、該内部抵抗の補正係数を所定のデータフォームで記憶ユニットに記憶する。表示装置が通常に動作するとき、ソース駆動集積回路は、該記憶ユニットにおける内部抵抗補正係数を読み取るとともに、該内部抵抗補正係数によって各ガンマ抵抗に作用する制御信号を生成して、内蔵抵抗列の抵抗値の補正を実現する。
【００３８】
また、本発明の別の実施形態では、各ガンマ抵抗の補償値を記憶ユニットに直接に記憶し、タイミング制御装置又はソース駆動集積回路によって各ガンマ抵抗の補償値を処理して、各ガンマ抵抗の内部抵抗補正係数を得てもよい。
【００３９】
本発明の実施形態では、記憶ユニットによって内部抵抗変更データをタイミング制御装置に入力し、そして、タイミング制御装置からソース駆動集積回路内に入力することにより、ソース駆動集積回路の内部抵抗の変更を簡単に実現し、ソース駆動集積回路の内部抵抗が表示パネルにさらにマッチングし、ガンマ曲線がさらに平滑になり、画質効果が一層よく実現される。
【００４０】
第５実施形態
図７は本発明の第５実施形態に係る表示装置の構造概略図である。図７に示すように、前記表示装置は、ソース駆動集積回路及び記憶ユニットを備える。
【００４１】
前記ソース駆動集積回路の構造は上述した実施形態におけるソース駆動集積回路の構造と同じである。
【００４２】
前記記憶ユニットは内部抵抗変更データを記憶するとともに、前記表示装置が動作するとき、前記内部抵抗変更データを前記ソース駆動集積回路に入力するものである。前記記憶ユニットはＥＥＰＲＯＭであってもよい。前記内部抵抗変更データは、前記表示装置の表示パネルのＶ−Ｔ曲線及びガンマ曲線によって模擬して得られるものである。前記記憶ユニットは、ソース駆動集積回路の内部統合回路のインターフェイスを介して前記ソース駆動集積回路に接続される。当然ながら、本発明の別の実施形態では、前記記憶ユニットは、他のデータインターフェイス、例えば、シリアル周辺機器インターフェイス等を介して前記ソース駆動集積回路に接続されてもよい。
【００４３】
本実施形態の構造は、一般的、タイミング制御装置がソース駆動集積回路内部に集積される表示装置に用いられる。
【００４４】
本発明の実施形態では、記憶ユニットが内部抵抗変更データをソース駆動集積回路内に直接に入力することにより、ソース駆動集積回路の内部抵抗の変更が簡単に実現され、ソース駆動集積回路の内部抵抗が表示パネルにさらにマッチングになり、ガンマ曲線がさらに平滑になり、画質効果がさらによく実現される。
【００４５】
上述した実施形態に係る表示装置は、例えば、ＴＦＴ液晶ディスプレイのような複数の種類の表示装置であってもよい。
【００４６】
以上は、本発明の例示的な実施形態に過ぎない。当業者は、本発明の原理から逸脱しないで様々な改善及び変形をすることができる。これらの改善及び変形は、いずれも本発明の保護範囲内に入る。
【図１】
2016524176.tif 000003
【図２】
2016524176.tif 000004
【図３】
2016524176.tif 000005
【図４】
2016524176.tif 000006
【図５】
2016524176.tif 000007
【図６】
2016524176.tif 000008
【図７】
2016524176.tif 000009
【国際調査報告】
2016524176.tif 000010
2016524176.tif 000011
2016524176.tif 000012
2016524176.tif 000013